(57)【特許請求の範囲】
【請求項１】
電池温度、電池電流及び電池端子電圧から成る群から選択された少なくとも１つの物理量である電池状態を計測する計測機能を有し、識別番号を含む個体情報を記憶するメモリ部を有する集積回路を具備しており、
集積回路は、二次電池セルの外部からの電気信号を受け取り、該電気信号を整流することで電力を得、
集積回路における計測機能及びメモリ部は、該電力によって動作し、
集積回路は、二次電池セルの外部から電気信号を受け取った後、外部から識別番号を受け取り、外部から送られてきた識別番号と、メモリ部に記憶された識別番号が一致したとき、個体情報及び／又は計測した電池状態を外部に送出する二次電池セル。
【請求項２】
アンテナとして用いられる電池蓋を備えている請求項１に記載の二次電池セル。
【請求項３】
アンテナとして用いられる電極を備えている請求項１に記載の二次電池セル。
【請求項４】
集積回路は、個体情報及び／又は計測した電池状態を無線によって二次電池セルの外部に送出する請求項１乃至請求項３のいずれか１項に記載の二次電池セル。
【請求項５】
集積回路は、個体情報及び／又は計測した電池状態を有線によって二次電池セルの外部に送出する請求項１乃至請求項３のいずれか１項に記載の二次電池セル。
【請求項６】
集積回路は、二次電池セルに設けられた情報入出力端子に接続されている請求項５に記載の二次電池セル。
【請求項７】
集積回路は、二次電池セルに備えられた、外部に電力を供給するための電力線に接続されている請求項５に記載の二次電池セル。
【請求項８】
集積回路と電力線との間にはバンドパスフィルタが配設されている請求項７に記載の二次電池セル。
【請求項９】
請求項１乃至請求項８のいずれか１項に記載の二次電池セルを、複数、有する電池パック。
【請求項１０】
請求項９に記載の電池パックを具備した電力消費機器。
【発明の詳細な説明】
【技術分野】
【０００１】
本発明は、二次電池セル、電池パック及び電力消費機器に関する。
【背景技術】
【０００２】
電池パックは、携帯電話やデジタルスチルカメラ、携帯ゲーム機、ノート型パーソナルコンピュータ、電動工具等、多様なポータブル機器に既に使用されている。そして、現在、これに留まらず、電動アシスト自転車や電気自動車、更には、家庭用蓄電装置等の、より高出力、高容量を要求される分野に使用されつつある。
【０００３】
電池パックに組み込まれた二次電池セルとして、現在、最も主力的に用いられているものの１つに、リチウムイオン二次電池セルがある。リチウムイオン二次電池セルは、充電により繰返し使用できる、高電圧出力である、高エネルギー密度である、自己放電が少ない、長寿命であるといった多数の特徴により、非常に広い範囲で使用されている。また、より高出力、高容量という機器の要求に対応するため、二次電池セル（単セル）を多直列接続や多並列接続とし、組電池の形態で使用されるケースも増加している。このような使用方法は、利点も大きいが、扱われるエネルギー量が非常に大きくなるため、従来よりも、より一層注意深く取り扱う必要がある。
【０００４】
通常、電池パックにあっては、過充電、過放電、過電流、温度の状態等が監視され、危険状態あるいは特性劣化を引き起こしてしまうような状態で使用されないように、電池保護回路を有する制御回路が備えられている。従来、電池保護回路が動作すると、電池パック全体としての充放電動作が適宜停止し、電池パック、あるいは、電池パックが組み込まれた電力消費機器の安全を保証している。通常、温度状態の監視は、電池パック全体で行われる。また、過充電、過放電、過電流の監視は、各二次電池セルに対して行われるが、実際には、各二次電池セルを流れる電流や各二次電池セルの端子電圧を測定する測定部を各二次電池セルに設け、測定部において得られた値を、電池パックに備えられた制御回路は有線で受け取り、制御回路において電流値や端子電圧値を求めるといった煩雑な工程に基づき行われる。
【０００５】
また、電力消費機器に装着された電池パックが電力消費機器にとって安全に使用できるものか否かを判断するために、電池パックに備えられた二次電池セルの認証を行う電池認証システムが多く導入されており、無線ＩＣタグを具備する二次電池セルからＩＤ番号等の個別認識情報を読み出す技術が、例えば、特開２００６−２３６８０６から周知である。
【先行技術文献】
【特許文献】
【０００６】
【特許文献１】特開２００６−２３６８０６
【発明の概要】
【発明が解決しようとする課題】
【０００７】
しかしながら、従来の電池パックにおける温度状態の監視は、電池パック全体に対して行われており、各二次電池セルに対して行われてはいないので、温度状態の監視が十分であるとは云い難い。また、従来の電池パックにおける過充電、過放電、過電流の監視は、上述したとおり、煩雑な工程を必要とする。更には、特開２００６−２３６８０６に開示された技術では、認証された正規の電池パックであるか否かの判定は可能であっても、電池パック内の二次電池セルの状態を知ることはできず、多数の二次電池セルから構成される電池パックの最適な制御を行なうことは困難である。
【０００８】
従って、本発明の目的は、電池パック内の二次電池セルの状態を的確に、しかも、簡便に検知することができる構成、構造を有する二次電池セル、係る二次電池セルを備えた電池パック、更には、係る電池パックを備えた電力消費機器を提供することにある。
【課題を解決するための手段】
【０００９】
上記の目的を達成するための本発明の二次電池セルは、電池状態を計測する計測機能を有する集積回路（ＩＣチップ）を具備している。
【００１０】
上記の目的を達成するための本発明の電池パックは、本発明の二次電池セルを、複数、有する。
【００１１】
上記の目的を達成するための本発明の電力消費機器は、本発明の二次電池セルを、複数、有する本発明の電池パックを具備している。
【発明の効果】
【００１２】
本発明の二次電池セル、電池パックあるいは電力消費機器において、二次電池セルは集積回路を具備し、この集積回路は電池状態を計測する計測機能を有している。従って、二次電池セルそれ自体が電池状態の情報を収集することができ、電池パック全体の構成の簡素化を図ることができる。
【図面の簡単な説明】
【００１３】
【図１】図１は、実施例１の二次電池セルの模式的な端面図である。
【図２】図２の（Ａ）及び（Ｂ）は、それぞれ、実施例１における集積回路のブロック図、及び、電気信号の送受信を示す模式図である。
【図３】図３は、実施例１の電池パックにおける二次電池セルの接続状態を示す図である。
【図４】図４の（Ａ）及び（Ｂ）は、それぞれ、電池パックの模式的な斜視図、及び、電池パックの蓋を外した状態の模式図である。
【図５】図５は、実施例２の二次電池セルの模式的な斜視図である。
【図６】図６は、実施例２の電池パックにおける二次電池セルの接続状態を示す図である。
【図７】図７は、実施例２の電池パックの変形例における二次電池セルの接続状態を示す図である。
【図８】図８は、実施例３の電池パックにおける二次電池セルの接続状態を示す図である。
【図９】図９の（Ａ）及び（Ｂ）は、それぞれ、実施例４の二次電池セルの模式的な斜視図、及び、集積回路及びアンテナの集合体の模式図である。
【図１０】図１０は、実施例５の二次電池セルの模式的な斜視図である。
【図１１】図１１の（Ａ）及び（Ｂ）は、実施例６の二次電池セル及びその変形例の模式的な斜視図である。
【図１２】図１２の（Ａ）及び（Ｂ）は、実施例６の二次電池セルの変形例の模式的な斜視図である。
【図１３】図１３の（Ａ）及び（Ｂ）は、実施例６の二次電池セル及びその変形例の模式的な分解斜視図である。
【発明を実施するための形態】
【００１４】
以下、図面を参照して、実施例に基づき本発明を説明するが、本発明は実施例に限定されるものではなく、実施例における種々の数値や材料は例示である。尚、説明は、以下の順序で行う。
１．本発明の二次電池セル、電池パック及び電力消費機器、全般に関する説明
２．実施例１（本発明の二次電池セル、電池パック及び電力消費機器）
３．実施例２（実施例１の変形）
４．実施例３（実施例１の別の変形）
５．実施例４（実施例１の別の変形）
６．実施例５（実施例１の別の変形）
７．実施例６（実施例１の別の変形）、その他
【００１５】
［本発明の二次電池セル、電池パック及び電力消費機器、全般に関する説明］
本発明の二次電池セル、本発明の電池パックにおける二次電池セル、あるいは、本発明の電力消費機器における二次電池セル（以下、これらを総称して、『本発明の二次電池セル等』と呼ぶ）において、集積回路は個体情報を記憶している形態とすることができる。ここで、個体情報として、二次電池セルに付与された識別番号（ＩＤ番号）、二次電池セルに付与された認証番号、二次電池セルの製造者名、二次電池セルの販売者名、二次電池セルの型番、二次電池セルの定格、二次電池セルの仕様、集積回路それ自体に付与された識別番号（ＩＤ番号）、及び、二次電池セルの認証のための鍵情報から成る群から選択された少なくとも１種類の情報を例示することができる。尚、個体情報を二次電池セルに付与された識別番号や認証番号とすれば、二次電池セルが認証された正規の二次電池セルであるか否かの判定を、容易に、且つ、確実に行うことができる。
【００１６】
上記の好ましい形態を含む本発明の二次電池セル等において、集積回路が計測する電池状態（電池情報）は、電池温度、電池電流及び電池端子電圧から成る群から選択された少なくとも１つの物理量である形態とすることができる。ここで、電池温度とは、二次電池セルのどこに集積回路を配置するかにも依るが、二次電池セル内部の温度あるいは二次電池セル外面の温度を意味する。また、電池電流とは、二次電池セルの正極と負極との間を流れる電流値を意味する。更には、電池端子電圧とは、二次電池セルの正極と負極との間の電圧値を意味する。
【００１７】
上記の好ましい形態を含む本発明の二次電池セル等において、集積回路は、二次電池セルの外部からの電気信号に基づく電力によって動作し（即ち、外部電源によって動作し）、個体情報及び／又は計測した電池状態を外部に送出する構成とすることが好ましい。このような構成にすることで、集積回路自体の小型化が図れるし、製造コストの低減を図ることもできる。そして、この場合、集積回路は、二次電池セルの外部からの電気信号を受け取り、該電気信号を整流することで電力を得る構成とすることが、より好ましい。更には、これらの構成において、
［Ａ］集積回路を、個体情報及び／又は計測した電池状態を無線によって二次電池セルの外部に送出する構成とすれば、これによって電池パックの構成を極めて簡素化することができるし、あるいは又、
［Ｂ］集積回路を、個体情報及び／又は計測した電池状態を有線によって二次電池セルの外部に送出する構成とすることができる。尚、［Ｂ］の場合であって、集積回路が二次電池セルの内部に配置されている場合、集積回路は、二次電池セルに設けられた情報入力端子及び情報出力端子、あるいは、情報入出力端子に接続されている構成とすることが好ましく、電池パック全体でセンシング用配線を簡略化することができるし、制御回路との間の接続点数を減らすことができ、電池パックの信頼性の向上を図ることができる。あるいは又、［Ｂ］の場合、集積回路は、二次電池セルに備えられた、外部に電力を供給するための電力線に接続されている構成とすることができ、これによって、個体情報及び／又は計測した電池状態を電力線経路に重畳して制御回路に送出することができ、構成の簡素化を図ることが可能となる。更には、この場合、集積回路と電力線との間にはバンドパスフィルタが配設されている構成とすることが好ましい。バンドパスフィルタは、個体情報及び／又は計測した電池状態を送出するための通信周波数に適した周波数を通過させ得るバンドパスフィルタとすればよい。バンドパスフィルタは、集積回路内に組み込まれていてもよいし、集積回路とは別個に設けられていてもよい。
【００１８】
上記の好ましい形態を含む本発明の電池パック、あるいは、本発明の電力消費機器における電池パックにおいて、複数の二次電池セルの接続形態として、限定するものではないが、複数の二次電池セルを並列接続し、係る並列接続ユニットを複数、直列接続する形態、複数の二次電池セルを直列接続し、係る直列接続ユニットを複数、並列接続する形態を例示することができる。
【００１９】
集積回路は、電池パックに備えられ、あるいは又、電池パックの外部に備えられた制御回路に無線あるいは有線で接続されており、集積回路からの電池状態や個体情報は無線あるいは有線で制御回路に送られる構成とすることができる。尚、集積回路が電池パックに備えられた制御回路に有線で接続されている形態には、上述した電力線に接続されている形態が含まれる。制御回路は、ＭＰＵや記憶手段（例えば、ＥＥＰＲＯＭから成る）を備えた回路から構成することができるし、必要に応じて、集積回路からの電池状態や個体情報を受け取り、また、集積回路との間の情報交換を行うための通信回路を備えている。制御回路には、個体情報を記憶させておくことが好ましい。場合によっては、ＭＰＵの代替としてシーケンサを用いることもできる。制御回路から二次電池セルに対して電気信号を送ることで集積回路の制御を行うことができる。制御回路が「外部」に相当する。通信が無線の場合、その方式として、ＺｉｇＢｅｅやＩｒＤＡを含む赤外線、無線ＬＡＮのプロトコルの１つであるＢｌｕｅｔｏｏｔｈやＨｏｍｅＲＦ、Ｗｉ−Ｆｉ、ＮＦＣ、ＩＳＯ／ＩＥＣ  １８０９２、ＩＳＯ／ＩＥＣ  １４４４３等を含めることができる。
【００２０】
集積回路は、二次電池セルの内部に配置してもよいし、二次電池セルの外側表面に配置してもよい。即ち、本発明の二次電池セル等の種々の好ましい形態、構成においては、
［１］集積回路が二次電池セルの内部に配置されており、電源は外部電源であり、情報の伝達は無線方式である形態
［２］集積回路が二次電池セルの内部に配置されており、電源は外部電源であり、情報の伝達は有線方式である形態
［３］集積回路が二次電池セルの内部に配置されており、電源は二次電池セルであり、情報の伝達は無線方式である形態
［４］集積回路が二次電池セルの内部に配置されており、電源は二次電池セルであり、情報の伝達は有線方式である形態
［５］集積回路が二次電池セルの外側に配置されており、電源は外部電源であり、情報の伝達は無線方式である形態
［６］集積回路が二次電池セルの外側に配置されており、電源は外部電源であり、情報の伝達は有線方式である形態
［７］集積回路が二次電池セルの外側に配置されており、電源は二次電池セルであり、情報の伝達は無線方式である形態
［８］集積回路が二次電池セルの外側に配置されており、電源は二次電池セルであり、情報の伝達は有線方式である形態
の、合計、８つの形態があるが、中でも、［１］の形態、［３］の形態、［４］の形態、［５］の形態、［７］の形態、［８］の形態を採用することが好ましい。尚、有線方式には、上述した電力線に接続されている形態が含まれる。
【００２１】
集積回路を、円筒型の二次電池セルの内部に配置する場合、集積回路を、二次電池セルの内部に配された上部絶縁板と安全弁機構とに間に存在する隙間や、電池蓋やキャップの直下に存在する隙間といった適切な空間内に配置すればよい。また、集積回路を、ラミネートタイプを含む角型の二次電池セルの内部に配置する場合、集積回路を、例えば、封口板（キャッププレート）の直下に配置された絶縁スペーサで囲まれた隙間といった適切な空間内やラミネート部分に配置すればよい。そして、集積回路によって電池電流及び／又は電池端子電圧を計測する場合、また、電源を二次電池セルとする場合、集積回路を正極や正極延在部（例えば、正極リードや正極ピン、電池蓋）及び負極や負極延在部（例えば、負極リードや電池缶）に接続すればよいし、あるいは又、熱感抵抗素子（Positive Temperature Coefficient、ＰＣＴ素子）及び負極や負極延在部に接続すればよい。
【００２２】
一方、集積回路を二次電池セルの外側に配置する場合、集積回路を二次電池セルの外側に貼り合わせればよいし、あるいは又、集積回路を二次電池セルの外側に適切な手段によってラミネートすればよい。また、外装用フィルムの一部をアンテナや配線等として利用して、集積回路を接続することもできる。そして、集積回路によって電池電流及び／又は電池端子電圧を計測する場合、また、電源を二次電池セルとする場合、集積回路を、適切な手段を用いて、正極や正極延在部及び負極や負極延在部と接続すればよい。情報の伝達を無線方式とする場合、集積回路はアンテナを備えている構成とすることができるし、場合によっては、二次電池セルの電極や電池蓋をアンテナとして用いることもできるし、二次電池セルの外装材料をパターニングすることでアンテナを形成してもよい。アンテナは、例えば、コイル状のアンテナとすることもできるし、ダイポール型のアンテナとすることもできる。情報の伝達を有線方式とする場合、制御回路と二次電池セルとの間をセンシング用配線で結べばよいし、あるいは又、電力線で結べばよい。
【００２３】
電池温度を計測するためには、集積回路は、例えば、ｐｎ接合部を有していればよい。ｐｎ接合部におけるビルトイン・ポテンシャル（ビルトイン電圧）は温度依存性を有するので、ｐｎ接合部に順方向の電流を流して電圧値を計測することで、あるいは、ｐｎ接合部に順方向の一定電圧を印加して電流値を計測することで、二次電池セルの温度を求めることができる。電池電流の計測のためには周知の電流計測回路を集積回路内に設ければよいし、電池端子電圧の計測のためにも周知の電圧計測回路を集積回路内に設ければよい。
【００２４】
二次電池セルとしてリチウムイオン二次電池を挙げることができるが、これに限定するものではなく、要求される特性に応じて、適宜、使用する二次電池の種類を選択すればよい。二次電池セルそれ自体の構成、構造は、周知の構成、構造とすることができるし、二次電池セルの形状も、周知の円筒型、角型とすることができる。二次電池セルの充電及び放電を制御するための充放電制御回路は、ＭＰＵや記憶手段（例えば、ＥＥＰＲＯＭから成る）を備えた周知の回路から構成することができる。充放電制御回路には周知の電池保護回路が備えられていてもよく、必要に応じて電池パックの機能を停止させるために電池保護回路を作動させればよい。尚、充放電制御回路を前述した制御回路に組み込んでもよい。
【００２５】
本発明における電池パックは、例えば、電気自動車（ハイブリッド自動車を含む）、ゴルフカート、電動カート、電動オートバイ、電動アシスト自転車、鉄道車両、電動ドリル等の電動工具、電力供給ユニットあるいはホームエネルギーサーバ（家庭用蓄電装置）、パーソナルコンピュータ、携帯電話、ＰＤＡ（携帯情報端末）、デジタルスチルカメラやビデオカメラ、カムコーダ、電子書籍、電子辞書、音楽プレーヤ、ラジオ、ヘッドホン、コードレス電話子機、電気シェーバー、冷蔵庫、 エアコンディショナー、テレビジョン受像機や画像表示装置、モニター、ステレオ装置、温水器、電子レンジ、食器洗い器、洗濯機、乾燥器、室内灯等の照明機器、ゲーム機、ナビゲーションシステム、メモリーカード、ペースメーカー、補聴器、医療機器、玩具、ロボット、ロードコンディショナー、信号機等といった各種の電力消費機器に適用することができ、これらの電力消費機器の駆動用電源又は補助用電源とすることができる。あるいは又、本発明における電池パックは、例えば、住宅をはじめとする建築物用又は発電設備用の電力貯蔵用電源等の機器に適用することができるし、これらの機器に電力を供給するために使用することもできるし、所謂スマートグリッドにおける蓄電装置としても用いることができる。尚、このような蓄電装置は、電力を供給するだけでなく、他の電力源から電力の供給を受けることにより蓄電することができる。更には、本発明における電池パックを、ホーム・エネルギー・マネジメント（管理）・システム（ＨＥＭＳ，Home Energy Management System）、ビル・エネルギー管理システム（ＢＥＭＳ，Building Energy Management Systems）に組み込むこともできる。電池パックを構成する二次電池セルを充電するための電源として、商用電源だけでなく、種々の太陽電池、燃料電池、火力発電設備、原子力発電設備、水力発電設備、風力発電装置、マイクロ水力発電装置、地熱発電装置等を例示することができるし、電力消費機器が生成する回生エネルギーを例示することもできるが、これらに限定するものではない。
【実施例１】
【００２６】
実施例１は、本発明の二次電池セル、電池パック及び電力消費機器に関する。実施例１の二次電池セルの模式的な端面図を図１に示し、実施例１における集積回路のブロック図を図２の（Ａ）に示し、電気信号の送受信を示す模式図を図２の（Ｂ）に示し、二次電池セルの接続状態を図３に示し、電池パックの模式的な斜視図及び電池パックの蓋を外した状態の模式図を図４の（Ａ）及び（Ｂ）に示す。
【００２７】
実施例１、あるいは、後述する実施例２〜実施例６の二次電池セルは、電池状態（電池情報）を計測する計測機能を有する集積回路（ＩＣチップ）５０を具備している。そして、更には、実施例１、あるいは、後述する実施例２〜実施例６において、集積回路５０は個体情報を記憶している。ここで、個体情報は、例えば、各二次電池セル２０に付与された識別番号（ＩＤ番号）及び認証番号である。尚、個体情報として、更に、製造者名、販売者名、二次電池セルの型番、定格、仕様、集積回路それ自体に付与された識別番号（ＩＤ番号）、二次電池セルの認証のための鍵情報等を加えてもよい。
【００２８】
実施例１の電池パック１０は、実施例１の二次電池セル２０を、複数、有する。二次電池セルの接続状態（組電池の状態）を図３に示すように、実施例１、あるいは、後述する実施例２〜実施例６における電池パック１０にあっては、限定するものではないが、複数の二次電池セル２０が直列接続され、係る直列接続ユニットが複数、並列接続されている。より具体的には、この電池パック１０にあっては、７つの二次電池セル２０が直列接続され、係る直列接続された二次電池群から成る直列接続ユニットが３つ、並列接続されている。二次電池セル２０は、ＡＢＳ樹脂といったプラスチック材料から構成された筐体１７に格納されている。直列接続ユニットは、外部に電力を供給するための電力線１８に接続されており、電力線１８は、後述する出力部１６に接続されている。
【００２９】
実施例１において、集積回路５０は、二次電池セル２０の外部からの電気信号（外部電気信号）に基づく電力によって動作する。即ち、外部電源によって動作する。そして、個体情報及び計測した電池状態を外部に送出する。ここで、実施例１において、集積回路５０は、所定の時間間隔で二次電池セル２０の外部からの電気信号（外部電気信号）を受け取り、外部電気信号を整流することで電力を得る。更には、集積回路５０は、個体情報及び計測した電池状態を無線によって二次電池セル２０の外部に送出する。ここで、外部とは、具体的には、制御回路（制御装置）６０である。即ち、集積回路５０は、電池パック１０に備えられた制御回路６０に無線で接続されており、集積回路５０からの電池状態や個体情報は無線で制御回路６０に送られる。集積回路５０は、二次電池セル２０の電池蓋３４に配線（図示せず）によって接続されており、電池蓋３４をアンテナとして用いる。場合によっては、集積回路５０は、独立したアンテナを備えていてもよい。制御回路６０は、ＭＰＵ６１、及び、例えば、ＥＥＰＲＯＭから成る記憶手段６２を備えた回路から構成されており、また、集積回路５０からの電池状態や個体情報を受け取り、集積回路５０との間の情報交換を行うための通信回路６３を備えており、所定の時間間隔で外部電気信号を二次電池セル２０に送る。制御回路６０には、更に、二次電池セル２０の充電及び放電を制御する充放電制御回路が組み込まれている。制御回路６０は、記憶手段６２に個体情報を記憶しており、集積回路５０からの個体情報との照合を行う。制御回路６０の電源は、電池パック１０を構成する二次電池セル２０である。制御回路６０には周知の電池保護回路６４が備えられており、必要に応じて電池パック１０の機能を停止させるために、電池保護回路６４を作動させればよい。具体的には、電池保護回路６４はヒューズから成り、電池パック１０の機能を停止させるためには、この電池保護回路６４を作動させる。即ち、ＭＰＵ６１の制御下、ヒューズを溶断すればよい。あるいは又、電池保護回路６４に備えられた過放電防止スイッチや過充電防止スイッチの機能を停止させてもよい。但し、電池保護回路６４は、このような構成に限定するものではない。以上のとおり、集積回路５０は二次電池セル２０の内部に配置されており、電源は外部電源であり、情報の伝達は無線方式であり、即ち、前述した［１］の形態であり、特別なセンシング用配線を設けなくとも電池状態を知ることができる。
【００３０】
実施例１において、二次電池セル２０は円筒型の二次電池セルであり、リチウムイオン二次電池から成る。二次電池セル２０それ自体の構成、構造は、周知の構成、構造とすることができる。そして、集積回路５０は、二次電池セル２０の内部に配された上部絶縁板３２と安全弁機構３５とに間に存在する空間Ａに配置されている。尚、集積回路５０を、電池蓋３４の直下に存在する空間Ｂに配置してもよい。
【００３１】
実施例１、あるいは、後述する実施例２〜実施例６にあっては、集積回路５０が計測する電池状態は、電池温度、電池電流及び電池端子電圧から成る群から選択された少なくとも１つの物理量であり、実施例にあっては、より具体的には、電池温度、電池電流及び電池端子電圧の３つの物理量である。但し、これに限定するものではなく、電池温度のみ、電池電流のみ、電池端子電圧のみ、電池温度及び電池電流、電池温度及び電池端子電圧、あるいは、電池電流及び電池端子電圧とすることもできる。そして、電池温度を計測するために、集積回路５０はｐｎ接合部を有している。また、電池電流の計測のために周知の電流計測回路（具体的には、例えば、シャント抵抗とＯＰアンプとＡＤコンバータの組合せ、電流トランスやホール素子型電流センサ、磁気共鳴型電流センサとＯＰアンプとＡＤコンバータの組合せ、リファレンス電圧発生回路と抵抗とＡＤコンバータの組合せから構成された電流計測回路）を集積回路５０内に備えているし、電池端子電圧の計測のために周知の電圧計測回路（具体的には、例えば、ＯＰアンプとＡＤコンバータの組合せ、リファレンス電圧発生回路と抵抗分圧器とＡＤコンバータの組合せから構成された電圧計測回路）を集積回路５０内に備えている。
【００３２】
実施例１のリチウムイオン二次電池から成る二次電池セル２０にあっては、ほぼ中空円柱状の電池缶３１の内部に、正極材料４１及び負極材料４２がセパレータ４３を介して巻回された巻回電極体４０と、一対の絶縁板（上部絶縁板３２及び下部絶縁板３３）とが収納されている。セパレータ４３は、正極材料４１と負極材料４２とを隔離し、正極材料４１と負極材料４２との接触による短絡を防止しつつ、リチウムイオンを通過させる。電池缶３１は、例えば、ニッケルめっきが施された鉄から作製されており、その一端部は閉鎖され、他端部は開放されて開口端部を構成している。一対の絶縁板３２，３３は、巻回電極体４０を挟み、その巻回周面に対して垂直に位置するように配置されている。
【００３３】
電池缶３１の開口端部には、電池蓋３４と、その内側に設けられた安全弁機構３５及び熱感抵抗素子（ＰＴＣ素子）３６とが、ガスケット３７を介してかしめられることにより取り付けられており、電池缶３１の内部は密閉されている。電池蓋３４は、例えば、電池缶３１と同様の材料から作製されている。安全弁機構３５は、熱感抵抗素子３６を介して電池蓋３４と電気的に接続されている。安全弁機構３５にあっては、内部短絡あるいは外部からの加熱等に起因して内圧が一定以上となった場合にディスク板３５Ａが反転することにより、電池蓋３４と巻回電極体４０との間の電気的接続が切断される構成となっている。熱感抵抗素子３６は、温度の上昇に応じて抵抗が増加することにより、電流を制限して大電流に起因する異常な発熱を防止する。ガスケット３７は、例えば絶縁材料から構成されており、表面にはアスファルトが塗布されている。
【００３４】
巻回電極体４０の中心には、例えば、センターピン４４が挿入されている。この巻回電極体４０においては、アルミニウム等から構成された正極リード４５が、正極材料４１に接続されており、ニッケル等から構成された負極リード４６が、負極材料４２に接続されている。正極リード４５は、安全弁機構３５に溶接されることにより、電池蓋３４と電気的に接続されている。一方、負極リード４６は電池缶３１に溶接されている。
【００３５】
リチウムイオン二次電池は、例えば、以下のようにして製造される。
【００３６】
先ず、周知の方法で正極材料４１及び負極材料４２を作製する。次いで、正極材料４１に正極リード４５を溶接して取り付けると共に、負極材料４２に負極リード４６を溶接して取り付ける。その後、正極材料４１と負極材料４２とをセパレータ４３を介して巻回させることにより巻回電極体４０を形成し、正極リード４５の先端部を安全弁機構３５に溶接すると共に、負極リード４６の先端部を電池缶３１に溶接した後、巻回電極体４０を一対の絶縁板３２，３３で挟みながら電池缶３１の内部に収納する。そして、電池缶３１の内部に電解液を注入して、セパレータ４３に電解液を含浸させる。最後に、電池缶３１の内部に集積回路５０を取り付け、電池缶３１の開口端部に電池蓋３４、安全弁機構３５及び熱感抵抗素子３６をガスケット３７を介してかしめることにより固定する。こうして、図１に示したリチウムイオン二次電池を完成させることができる。
【００３７】
そして、実施例１の電池パック１０にあっては、２１個の二次電池セル２０のそれぞれを、筐体１７に設けられた格納部に格納する。全ての二次電池セル２０が格納部に格納されたならば、筐体１７を電池パック１０の本体部１１の内部に納め、その上方に、ＭＰＵ６１等が取り付けられたプリント配線板６５を本体部１１に適切な方法で取り付け（図４の（Ｂ）参照）、本体部１１に閉鎖部材（具体的には、蓋）１２を被せ、本体部１１に設けられた固定部（例えば、タップ部１４が設けられたブッシュ）に固定用部材（例えば、ネジ）１３を螺合させる。尚、参照番号１５は、本体部１１の側壁に貼り付けられた識別標識（シリアルＩＤ、バーコード）であり、出力部１６が本体部１１の側壁に配設されている。本体部１１の形状は、本質的に任意であるが、実施例１においては、直方体とした。本体部１１へ複数の二次電池セル２０を出し入れするための開口部が、本体部１１の頂面に設けられており、閉鎖部材１２はこの開口部を塞いでいる。但し、開口部は、本体部１１の側面に設けてもよいし、本体部１１の底面に設けてもよい。
【００３８】
実施例１の集積回路５０のブロック図を図２の（Ａ）に示すように、集積回路５０は、入出力信号を処理する信号処理部５１、個体情報の記憶あるいは各種処理に必要なメモリ部５２、電池温度を計測する温度計測部（温度計測回路）５３、電池電流を計測する電流計測部（電流計測回路）５４、電池端子電圧を計測する電圧計測部（電圧計測回路）５５を備えている。尚、温度計測部５３、電流計測部５４、電圧計測部５５の全てを集積回路５０に実装する必要はなく、用途に応じて機能を選択して実装すればよい。集積回路５０の電流計測部５４及び電圧計測部５５は、電流及び電圧を計測するために、配線５７を介して正極リード４５及び電池缶３１に接続されている。尚、集積回路５０と電池缶３１とを結ぶ配線５７は、図示していないが、ガスケット３７との間で密封状態を保持している。
【００３９】
前述したとおり、集積回路５０は、外部電気信号、具体的には、制御回路６０において生成され、所定の時間間隔で通信回路６３を介して送られてきた外部電気信号を受け取る。そして、外部電気信号を整流することで電力を得る。図２の（Ａ）に示した集積回路５０と制御回路６０との間の通信処理における電気信号を図２の（Ｂ）に示す。先ず、制御回路６０から通信回路６３を介してプレアンブル信号を含む外部電気信号が集積回路５０に送信される。集積回路５０の側では、送信された外部電気信号を受信し、この外部電気信号を整流して、動作に必要な電力を集積回路５０の内部に確保する。その後、制御回路６０から通信回路６３を介してコマンド及び二次電池セル２０のＩＤ番号が集積回路５０に送信される。集積回路５０の側では、制御信号（具体的には、コマンド及びＩＤ番号といった外部電気信号）に従い、送信されてきたＩＤ番号が集積回路自体のＩＤ番号と一致したならば、この集積回路５０を備えた二次電池セル２０の電池状態を計測する。そして、集積回路５０は計測した電池状態を発信し、制御回路６０が受信することで電池状態を知ることができる。このような操作、処理を、全ての二次電池セル２０に対して、順次、行う。このような方法によれば、集積回路５０は外部（具体的には、制御回路６０）からの外部電気信号に基づき動作に必要な電力を得るので、電源部を必要としない。また、この方法では、外部（具体的には、制御回路６０）から送信されてきたＩＤ番号と集積回路自体のＩＤ番号とを比較し、一致した場合に二次電池セル２０に備えられた集積回路５０から電池状態を送信するので、多数の二次電池セル２０から成る電池パック１０内の個々の電池状態を混同することなく得ることができる。そして、制御回路６０は、受け取った電池状態に基づき二次電池セル２０に異常があるか否かを判定する。もしも、二次電池セル２０に異常が発生したならば、即ち、二次電池セル２０の異常な温度上昇、二次電池セル２０における異常な電流の流れ、二次電池セル２０における異常な電圧値変化が発生したならば、制御回路６０の制御下、直列接続ユニットに備えられたスイッチＳＷをオフ状態とし、異常が発生した二次電池セル２０を含む直列接続ユニットを電池パック１０から切り離せばよい。場合によっては、電池パック１０からの出力を停止させてもよい。そして、電池パック１０を使用する使用者に、二次電池セルに異常が発生した旨の警告等を与えればよい。尚、集積回路５０に異常が発生し、通信不能の状態になった場合にも同様の処置を行なうことが好ましい。
【００４０】
尚、この通信経路及び集積回路５０の内部の情報を暗号化してもよく、これによって、第三者が通信を傍受しても解読することが困難となる。また、集積回路５０と制御回路６０との間に認証動作を設けた場合には、もしも電池パック１０内の二次電池セル２０を非正規品に入れ替えたとしても、認証が成立しない場合、電池パック１０を使用する使用者に警告等を与えることができる。
【００４１】
電池パック１０を、例えば、電気自動車（ハイブリッド自動車を含む）、ゴルフカート、電動カート、電動オートバイ、電動アシスト自転車、鉄道車両といった電力消費機器に適用することができる。即ち、電力消費機器は、電池状態を計測する計測機能を有する集積回路５０を具備した二次電池セル２０を、複数、有する電池パック１０を具備している。そして、これらに備えられた、電力を供給することにより電力を駆動力に変換する変換装置（具体的には、例えば、モータ）の駆動のために電池パック１０を放電させ、また、係る装置からの回生エネルギーを用いて電池パック１０を充電することができる。尚、これらの電力消費機器には、例えば、電池残量表示を含む制御装置や、二次電池セル２０に関する情報に基いて電力消費機器の制御に関する情報処理を行なう制御装置が備えられている。
【００４２】
実施例１の二次電池セル、電池パック１０あるいは電力消費機器において、二次電池セル２０は集積回路５０を具備し、この集積回路５０は電池状態を計測する計測機能を有している。従って、二次電池セル２０それ自体が電池状態の情報を収集することができ、電池パック１０全体の構成の簡素化を図ることができる。加えて、各二次電池セル２０に備えられた集積回路５０は、二次電池セル２０に付与された識別番号及び認証番号といった個体情報を記憶しているので、各二次電池セル２０の識別を容易に行うことができるし、二次電池セルが認証された正規の二次電池セルであるか否かの判定を、容易に、且つ、確実に行うことができる。また、電源は外部電源であり、情報の伝達は無線方式であるが故に、特別なセンシング用配線を設けなくとも集積回路５０を駆動することができるし、電池状態を知ることができ、電池パック１０の全体の構成の簡素化を図ることができる。
【００４３】
尚、集積回路５０の電源を二次電池セルとすることもできる。即ち、前述した［３］の形態とすることもできる。この場合には、集積回路５０の電流計測部５４及び電圧計測部５５は、電流及び電圧を計測するために、配線５７を介して正極リード４５及び電池缶３１に接続されているが、この配線５７を介して電力を集積回路５０に供給すればよい。
【実施例２】
【００４４】
実施例２は、実施例１の変形である。実施例２において、集積回路５０は、実施例１と同様に二次電池セル２０の内部に配置されており、電源は外部電源である。一方、情報の伝達は有線方式である。即ち、前述した［２］の形態であり、実施例２にあっては、電池パックにおける二次電池セルの接続状態（組電池の状態）を図６に示すように、個体情報及び計測した電池状態を有線によって二次電池セル２０の外部（具体的には、制御回路６０）に送出する。図５に二次電池セルの模式的な斜視図を示すように、二次電池セル２０には情報入出力端子４７が設けられており、二次電池セル２０の内部に配置された集積回路（図示は省略）は、情報入出力端子４７及び配線（センシング用配線）４８を介して制御回路６０に接続されている。
【００４５】
以上の点を除き、実施例２の電池パック、二次電池セルは、実施例１にて説明した電池パック、二次電池セルと同じ構成、構造を有するので、詳細な説明は省略する。実施例２にあっては、所謂バス接続方式を採用し、順次、二次電池セルの計測を行うので、少ないセンシング用配線で電池パック内の全ての二次電池セルの電池状態を知ることができ、複雑なセンシング用配線を必要としない。尚、集積回路５０の電源を二次電池セルとすることもできる。即ち、前述した［４］の形態とすることもできる。尚、図７に示すように、所謂カスケード接続方式を採用し、順次、二次電池セルの計測を行ってもよい。
【００４６】
実施例２の電池パックにあっては、制御回路６０から配線４８を介して制御信号（外部電気信号）が集積回路５０に供給される。制御信号は、通信期間中、集積回路５０に供給される。集積回路側では、制御信号を整流することで動作に必要な電力を得ると同時に、制御信号の交流成分をクロックとして使用する。制御信号が制御回路６０から出力された後、集積回路側での動作安定に必要な準備期間を置いて、制御回路６０から配線４８を介してコマンド、ＩＤ番号が集積回路５０に通知される。集積回路側では、送信されてきたＩＤ番号と集積回路自体のＩＤ番号とを比較し、一致した場合、コマンドに従い、電池状態を制御回路６０に出力する。このように、集積回路５０は、情報入出力端子４７を介して外部（具体的には、制御回路６０）から入力される制御信号に基づき動作に必要な電力とクロックを得るので、電源部を必要としない。また、この方式では、集積回路自体のＩＤ番号と制御回路６０からのＩＤ番号とを比較し、一致した場合にのみ、二次電池セル側から電池状態を制御回路６０に送信する。従って、多数の二次電池セル２０から成る電池パック１０内の個々の電池状態を混同することなく得ることができる。尚、実施例１と同様に、通信暗号化、認証動作等を行なってもよい。以下の実施例においても同様である。
【実施例３】
【００４７】
実施例３は、実施例２の変形である。実施例２にあっては、集積回路５０が、情報入出力端子４７及び配線（センシング用配線）４８を介して制御回路６０に接続されている構成とした。一方、実施例３にあっては、電池パックにおける二次電池セルの接続状態を図８に示すように、集積回路５０は、二次電池セル２０に備えられた、外部に電力を供給するための電力線１８にコンデンサ５９Ａを介して接続されているし、集積回路５０と電力線１８との間にはバンドパスフィルタ（ＢＰＦ）としてのカップリングコンデンサ５９が配設されている。尚、カップリングコンデンサ５９は二次電池セル２０と並列に接続されている。カップリングコンデンサ５９は、集積回路５０内に組み込まれていてもよいし、集積回路５０とは別個に設けられていてもよく、個体情報及び／又は計測した電池状態を送出するための通信周波数に適した周波数を通過させるように設計すればよい。制御回路６０は電力線１８に接続されている。制御回路６０と電力線１８との間には、カップリングコンデンサ１９Ａ及びリーダー・ライターＩ／Ｏ１９Ｂが配設されている。カップリングコンデンサ１９Ａも、個体情報及び／又は計測した電池状態を送出するための通信周波数に適した周波数を通過させるように設計すればよい。また、電力線１８の出力部１６側にはリアクタンスから成るローパスフィルタ１９Ｃ，１９Ｄが配設されており、個体情報及び／又は計測した電池状態を出力部１６を通過させない構造となっている。尚、場合によっては、出力部１６よりも外部の電力線に、ローパスフィルタ１９Ｃ及び集積回路５０を接続してもよい。
【００４８】
このように、実施例３において、電池パックにおける二次電池セルの接続状態（組電池の状態）にあっては、個体情報及び計測した電池状態を有線方式によって、但し、電力線経路に重畳して、二次電池セル２０の外部（具体的には、制御回路６０）に送出する。集積回路５０は、実施例１と同様に、配線５７を介して正極リード４５及び電池缶３１に接続すればよい。実施例２と異なり、二次電池セル２０には情報入出力端子４７を設ける必要がないし、配線（センシング用配線）４８を設ける必要もない。以上の点を除き、実施例３の電池パック、二次電池セルは、実施例１及び実施例２にて説明した電池パック、二次電池セルと同じ構成、構造を有するので、詳細な説明は省略する。
【実施例４】
【００４９】
実施例４も実施例１の変形である。図９の（Ａ）に二次電池セルの模式的な斜視図を示し、集積回路５０及びアンテナ５６の集合体である集積回路集合体（無線ＩＣタグ）５０Ａの模式図を図９の（Ｂ）に示すように、実施例４において、集積回路５０は、実施例１と異なり、二次電池セル２０の外側に配置されている。具体的には、集積回路５０は、二次電池セル２０の外側に貼り合わされており、あるいは又、集積回路５０は、二次電池セル２０の外側に適切な手段（例えば、外装用フィルム）によってラミネートされている。一方、実施例１と同様に、集積回路５０の電源は外部電源であり、情報の伝達は無線方式である。即ち、前述した［５］の形態を採用している。そして、集積回路５０はアンテナ５６を備えている。集積回路５０の電流計測部５４及び電圧計測部５５は、電流及び電圧を計測するために、配線５８を介して正極リード４５及び電池缶３１に接続されている。以上の点を除き、実施例４の電池パック、二次電池セルは、実施例１にて説明した電池パック、二次電池セルと同じ構成、構造を有するので、詳細な説明は省略する。尚、集積回路５０の電源を二次電池セルとすることもできる。即ち、前述した［７］の形態とすることもできる。この場合には、配線５８を介して二次電池セルの電池蓋３４及び電池缶３１から集積回路５０に電力を供給すればよい。
【実施例５】
【００５０】
実施例５も実施例１の変形である。図１０に二次電池セルの模式的な斜視図を示すように、実施例５において、集積回路５０は、実施例４と同様に、二次電池セル２０の外側に配置されている。また、集積回路５０の電源は二次電池セルであり、情報の伝達は有線方式（電力線に接続されている形態を含む。以下においても同様）である。即ち、前述した［８］の形態を採用している。具体的には、二次電池セルの電池蓋３４及び電池缶３１に配線５８を介して集積回路５０を接続すればよいし、集積回路５０は、配線（センシング用配線）４９によって制御回路６０に接続されている。以上の点を除き、実施例５の電池パック、二次電池セルは、実施例１にて説明した電池パック、二次電池セルと同じ構成、構造を有するので、詳細な説明は省略する。尚、集積回路５０を駆動する電源を、実施例１と同様に、外部電源としてもよい。即ち、前述した［６］の形態とすることもできる。
【実施例６】
【００５１】
実施例６も実施例１の変形である。実施例６において、二次電池セル１２０は角型の二次電池セルである。図１１の（Ａ）に模式的な斜視図を示すように、集積回路が二次電池セル１２０の内部（具体的には、封口板（キャッププレート）の直下に配置された絶縁スペーサで囲まれた隙間）に配置されており、電源は、実施例１と同様に、外部電源であり、情報の伝達は無線方式である。即ち、前述した［１］の形態を採用している。集積回路は、図示しないアンテナを備えている。尚、図１１の（Ａ）、あるいは、後述する図１１の（Ｂ）においては、二次電池セル１２０の内部に配された集積回路集合体５０Ａを点線で模式的に示した。二次電池セル１２０の内部には、正極材料及び負極材料がセパレータを介して巻回された巻回電極体が納められている。以上の点を除き、実施例６の二次電池セル１２０あるいは電池パックは、実質的に、実施例１の二次電池セルあるいは電池パックと同様とすることができるので、詳細な説明は省略する。尚、集積回路５０の電源を二次電池セルとすることもできる。即ち、前述した［３］の形態とすることもできる。
【００５２】
あるいは又、集積回路は、二次電池セル１２０の内部に配置されており、電源は外部電源であるが、情報の伝達を有線方式とすることもできる。即ち、前述した［２］の形態とすることもでき、個体情報及び計測した電池状態を有線によって二次電池セル１２０の外部（具体的には、制御回路６０）に送出する。具体的には、図１１の（Ｂ）に模式的な斜視図を示すように、二次電池セル１２０には情報入出力端子４７が設けられており、二次電池セル１２０の内部に配置された集積回路は、情報入出力端子４７及び配線（図示せず）を介して制御回路６０に接続されている。尚、集積回路の電源を二次電池セルとすることもできる。即ち、前述した［４］の形態とすることもできる。
【００５３】
あるいは又、図１２の（Ａ）に二次電池セル１２０の模式的な斜視図を示すように、集積回路は二次電池セル１２０の外側に配置されている。具体的には、集積回路（より具体的には集積回路集合体５０Ａ）は、二次電池セル１２０の外側に貼り合わされており、あるいは又、集積回路は、二次電池セル１２０の外側に適切な手段（例えば、外装用フィルム）によってラミネートされている。集積回路は、実施例４において説明したと同様の構成、構造を有する。また、集積回路の電源は外部電源であり、情報の伝達は無線方式である。即ち、前述した［５］の形態とすることもできる。集積回路はアンテナを備えている。集積回路の電流計測部及び電圧計測部は、電流及び電圧を計測するために、配線５８を介して正極端子１２１及び負極端子１２２に接続されている。尚、集積回路の電源を二次電池セルとすることもできる。即ち、前述した［７］の形態とすることもできる。この場合には、配線５８を介して二次電池セルの正極端子１２１及び負極端子１２２から集積回路に電力を供給すればよい。
【００５４】
あるいは又、図１２の（Ｂ）に二次電池セル１２０の模式的な斜視図を示すように、集積回路は、実施例４と同様に、二次電池セル１２０の外側に配置されている。また、集積回路の電源は二次電池セルであり、情報の伝達は有線方式である。即ち、前述した［８］の形態とすることもできる。具体的には、集積回路は、二次電池セル１２０の正極端子１２１及び負極端子１２２に配線５８を介して接続されているし、集積回路は、配線（センシング用配線）４９によって制御回路６０に接続されている。尚、集積回路を駆動する電源を外部電源としてもよい。即ち、前述した［６］の形態とすることもできる。
【００５５】
二次電池セルをラミネートタイプとすることもできる。図１３の（Ａ）及び（Ｂ）に模式的な分解斜視図を示すように、二次電池セル２２０は、正極材料板２３１と負極材料板２３２との間に絶縁のためセパレータ２３３が挿入され、これらが複数層、積層された積層構造体を備え、この積層構造体を電解液と共に上下からアルミニウムラミネート２３４で封止した構造を有する。正極材料板２３１び負極材料板２３２には、それぞれ、正極端子２２１及び負極端子２２２が形成されており、アルミニウムラミネート２３４の貼合わせ部分から外部へ突出している。
【００５６】
ここで、図１３の（Ａ）に示す二次電池セル２２０にあっては、集積回路５０あるいは集積回路集合体５０Ａは、正極端子２２１及び負極端子２２２に接続されており、集積回路５０あるいは集積回路集合体５０Ａは、アルミニウムラミネート２３４の貼合わせ部分に位置している。即ち、集積回路５０あるいは集積回路集合体５０Ａは、二次電池セル２２０の内部に配置されている。そして、電源は外部電源であり、情報の伝達は無線方式あるいは有線方式である形態とすることもできるし、電源は二次電池セルであり、情報の伝達は無線方式あるいは有線方式である形態とすることもできる。
【００５７】
また、図１３の（Ｂ）に示す二次電池セル２２０にあっては、集積回路５０あるいは集積回路集合体５０Ａは、正極端子２２１及び負極端子２２２に接続されているが、集積回路５０あるいは集積回路集合体５０Ａは、アルミニウムラミネート２３４の外側に位置している。そして、電源は外部電源であり、情報の伝達は無線方式あるいは有線方式である形態とすることもできるし、電源は二次電池セルであり、情報の伝達は無線方式あるいは有線方式である形態とすることもできる。
【００５８】
以上、本発明を好ましい実施例に基づき説明したが、本発明はこれらの実施例に限定するものではない。実施例にて説明した電池パック、二次電池セル、集積回路、制御回路等の構成、構造、接続関係等は例示であり、適宜、変更することができる。
【符号の説明】
【００５９】
１０・・・電池パック、１１・・・本体部、１２・・・閉鎖部材（蓋）、１３・・・固定用部材（ネジ）、１４・・・タップ部、１５・・・識別標識（シリアルＩＤ）、１６・・・出力部、１７・・・筐体、１８・・・電力線、１９Ａ・・・カップリングコンデンサ、１９Ｂ・・・リーダー・ライターＩ／Ｏ、１９Ｃ，１９Ｄ・・・ローパスフィルタ、２０，１２０，２２０・・・二次電池セル、３１・・・電池缶、３２・・・上部絶縁板、３３・・・下部絶縁板、３４・・・電池蓋、３５・・・安全弁機構、３５Ａ・・・ディスク板、３６・・・熱感抵抗素子（ＰＴＣ素子）、３７・・・ガスケット、４０・・・巻回電極体、４１・・・正極材料、４２・・・負極材料、４３・・・セパレータ、４４・・・センターピン、４５・・・正極リード、４６・・・負極リード、４７・・・情報入出力端子、４８，４９・・・配線（センシング用配線）、５０・・・集積回路、５０Ａ・・・集積回路及びアンテナの集合体である集積回路集合体、５１・・・信号処理部、５２・・・メモリ部、５３・・・温度計測部、５４・・・電流計測部、５５・・・電圧計測部、５７，５８・・・配線、５９・・・カップリングコンデンサ、６０・・・制御回路、６１・・・ＭＰＵ、６２・・・記憶手段、６３・・・通信回路、６４・・・電池保護回路、１２１，２２１・・・正極端子、１２２，２２２・・・負極端子、２３１・・・正極材料板、２３２・・・負極材料板、２３３・・・セパレータ、２３４・・・アルミニウムラミネート
【図１】
0005757111.tif 000002
【図２】
0005757111.tif 000003
【図３】
0005757111.tif 000004
【図４】
0005757111.tif 000005
【図５】
0005757111.tif 000006
【図６】
0005757111.tif 000007
【図７】
0005757111.tif 000008
【図８】
0005757111.tif 000009
【図９】
0005757111.tif 000010
【図１０】
0005757111.tif 000011
【図１１】
0005757111.tif 000012
【図１２】
0005757111.tif 000013
【図１３】
0005757111.tif 000014